(57)【要約】【課題】無線通信機の水没時に操作やテストを行うことなくスピーカをマイクとして使用することができる。【解決手段】トランシーバ（１）は、マイク（１２）と、マイク（１２）から出力される音声信号を送信する処理を行う送信処理部（２０）と、スピーカ（１１）と、受信した受信ＲＦ信号をスピーカ（１１）に入力する処理を行う受信処理部（３０）と、トランシーバ（１）が水没したことを検出する水没検出回路（８０）と、トランシーバ（１）の水没が検出されると、スピーカ（１）が集音した音声信号を送信処理部（２０）に入力するミュートスイッチ（５０）と、を備える。【選択図】図１
2020123821.tif 000002
【特許請求の範囲】
【請求項１】
マイクと、
前記マイクから出力される音声信号を送信する処理を行う送信処理部と、
スピーカと、
受信した受信音声信号を前記スピーカに入力する処理を行なう受信処理部と、
無線通信機が水没したことを検出する水没検出部と、
前記無線通信機の水没が検出されると、前記スピーカが集音した音声信号を前記送信処理部に入力する入力部と、を備えている無線通信機。
【請求項２】
前記送信処理部は、前記マイクから入力される音声信号を増幅するマイクアンプを有し、
前記マイクアンプは、前記入力部を介して前記スピーカからの音声信号が入力されるときにゲインを高める請求項１に記載の無線通信機。
【請求項３】
前記入力部は、無線通信機の水没が検出され、かつ前記マイクからの音声信号を送信させる操作スイッチが操作されているときに、前記スピーカが集音した音声信号を前記送信処理部に入力する請求項１または２に記載の無線通信機。
【請求項４】
前記スピーカに出力する音声信号を増幅するスピーカアンプと、
前記スピーカの前面に設けられたスピーカグリルと、
前記スピーカが前記スピーカグリル内に浸入した水を排出するための振動を生じるように前記スピーカアンプを制御する制御回路と、を備えている請求項１から３のいずれか１項に記載の無線通信機。
【発明の詳細な説明】
【技術分野】
【０００１】
本発明は、マイクおよびスピーカを有する無線通信機に関する。
【背景技術】
【０００２】
無線通信機は、一般にスピーカとマイクとを備えている。スピーカは、電気音声変換装置であるが、音声電気変換装置であるマイクと電気的な構成は同じであり、マイクとしても使用できる。このため、スピーカをマイクとして代用することが行われている。
【０００３】
例えば、特許文献１には、ハンズフリーフォンシステムの機能を継続するために、マイクが故障していると判定された場合、動作確認によってマイクの代用として使用できることが確認できたスピーカをマイクの代用とすることが記載されている。
【０００４】
また、特許文献２には、緊急通信時に車内の会話を送信するため、スピーカの入力部と送信回路の電子ボリュームの入力部との間にスピーカスイッチを接続した無線機が記載されている。この無線機では、緊急通信時に操作するために設けられたフットスイッチが押されたときに、スピーカスイッチをオンすることで、スピーカを送信回路にマイクとして接続することができる。
【０００５】
ところで、水上での使用を目的とする無線通信機は、常に水没の危険性が伴うため、防水仕様であるのが通常である。このような無線通信機が水没したときには、スピーカおよびマイクが濡れてしまう。無線通信機が防水仕様であるため、スピーカおよびマイクが濡れても故障することはない。また、スピーカは、振動部の面積が比較的大きいために、振動部表面の水分を概ね除去すれば、その機能を復元することができる。しかしながら、マイクは、振動部の面積が小さいために、わずかでも水分が振動部の表面に残っていると、その機能を十分に発揮することができない。したがって、マイクは、水没状態を脱した後には、十分に乾くまで使用することができない。
【先行技術文献】
【特許文献】
【０００６】
【特許文献１】特開２０１７−２１２４８９号公報（２０１７年１１月３０日公開）
【特許文献２】特開２００１−３３２９９３号公報（２００１年１１月３０日公開）
【発明の概要】
【発明が解決しようとする課題】
【０００７】
特許文献１には、スピーカから出力されたテスト信号をマイクで受音できないことでマイクが故障していると判定することが記載されている。このため、特許文献１に記載されたシステムは、上記の無線通信機のように水上での使用を目的とするように構成した場合、無線通信機が水没し、水没状態を脱した後には、マイクが故障していると判定することで、スピーカをマイクの代用とすることができる。
【０００８】
しかしながら、上記のシステムでは、テスト信号がスピーカから音声として出力されるため、使用者に違和感を与えてしまう。また、マイクが故障したと判定されなければスピーカをマイクとして使用できず、通信を行う場合、水に濡れた状態の感度の悪いマイクを使用せざるを得ない。このため、受信側で、通話の内容が聞き取りづらくなってしまう可能性がある。
【０００９】
また、特許文献２に記載された無線機は、上記の無線通信機のように水上での使用を目的とするように構成されている場合、水没したときには、スピーカを送信回路にマイクとして接続するために、フットスイッチおよびスピーカスイッチの操作といった特別な操作が必要となる。
【００１０】
本発明の一態様は、無線通信機の水没時に特別な操作やテストを行うことなくスピーカをマイクとして使用することを目的とする。
【課題を解決するための手段】
【００１１】
上記の課題を解決するために、本発明の一態様に係る無線通信機は、マイクと、前記マイクから出力される音声信号を送信する処理を行う送信処理部と、スピーカと、受信した受信音声信号を前記スピーカに入力する処理を行なう受信処理部と、無線通信機が水没したことを検出する水没検出部と、前記無線通信機の水没が検出されると、前記スピーカが集音した音声信号を前記送信処理部に入力する入力部と、を備えている。
【００１２】
上記の構成によれば、無線通信機の水没が検出されると、スピーカを用いて集音した音声信号の送信を行うことができる。
【００１３】
前記無線通信機において、前記送信処理部は、前記マイクから入力される音声信号を増幅するマイクアンプを有し、前記マイクアンプは、前記スピーカからの音声信号が前記入力部を介して入力されるときにゲインを高めてもよい。
【００１４】
上記の構成によれば、変調感度の低いスピーカからの音声信号の変調感度を高めることができる。
【００１５】
前記無線通信機において、前記入力部は、無線通信機の水没が検出され、かつ前記マイクからの音声信号を送信させる操作スイッチが操作されているときに、前記スピーカが集音した音声信号を前記送信処理部に入力してもよい。
【００１６】
上記の構成によれば、マイクを用いた音声出力の操作と同じ操作でスピーカを用いて集音した音声信号の送信を行うことができる。
【００１７】
前記無線通信機は、前記スピーカに出力する音声信号を増幅するスピーカアンプと、前記スピーカの前面に設けられたスピーカグリルと、前記スピーカが前記スピーカグリル内に浸入した水を排出するための振動を生じるように前記スピーカアンプを制御する制御回路と、を備えていてもよい。
【００１８】
上記の構成によれば、無線通信機が水没した後に、スピーカをいち早くマイクとして使用することによって通信を行なうことができる。
【発明の効果】
【００１９】
本発明の一態様によれば、無線通信機が水没した後に、マイクが濡れて使用困難な状態になっても、スピーカをマイクとして使用するための何等かの操作やマイクの故障の有無のテストを行うことなくスピーカをマイクとして使用することができる。これにより、水濡れしたマイクが乾くのを待つことなく通信を行うことができる。
【図面の簡単な説明】
【００２０】
【図１】本発明の一実施形態に係るトランシーバの操作面側の外観構成を示す斜視図である。
【図２】上記トランシーバの送受信系の構成を示すブロック図である。
【図３】上記トランシーバの送受信系の主要部の構成を示す回路図である。
【発明を実施するための形態】
【００２１】
〔実施形態〕
〈トランシーバの外観構成〉
本発明の一実施形態について、図１〜図３を参照して説明すれば、以下の通りである。
【００２２】
図１は、本実施形態に係るトランシーバ１の操作面側の外観構成を示す斜視図である。
【００２３】
図１に示すように、トランシーバ１（無線通信機）は、船舶通信用のハンディ機器であり、マリンＶＨＦバンドの無線通信を行う。トランシーバ１は、機器本体２を備えている。
【００２４】
図１に示すように、機器本体２は、トランシーバ１の主要部品を実装する本体部分である。機器本体２の前面には、スピーカ１１、マイク１２、液晶パネル１３、操作部１４などが設けられている。機器本体２の頂部には、アンテナ１５、電源・音量ツマミ１６などが設けられている。アンテナ１５は、機器本体２に対して着脱可能である。機器本体２の一方の側部には、ＰＴＴスイッチ１７（操作スイッチ）が設けられている。
【００２５】
スピーカ１１の前面は、複数のスリットを有するスピーカグリル１８によって保護されている。スピーカ１１は、通信時に音声を出力する以外に、トランシーバ１が水没した後、水没状態から脱したときに、スピーカグリル１８内に侵入した水を排出するための振動が生じるようにビープ音を出力する。また、スピーカ１１は、マイク１２と同様な音声電気変換機能を有することから、後述するように、収集した音声を電気信号（音声信号）に変換することもできる。マイク１２は、音声入力のために設けられており、スピーカ１１の近傍に配置されるとともに、スピーカグリル１８によって保護されている。液晶パネル１３は、通話に関する情報、電波状況に関する情報、電池状態に関する情報などの各種の情報を表示する。
【００２６】
ＰＴＴスイッチ１７は、送信と受信とを切り替えるスイッチである。ＰＴＴスイッチ１７は、押し操作で送信に切り替え、離されると押される前の元の位置に戻って受信に切り替える。
【００２７】
〈トランシーバの送受信系の構成〉
図２は、トランシーバ１の送受信系の構成を示すブロック図である。
【００２８】
図２に示すように、トランシーバ１は、送受信系として、送信処理部２０と、受信処理部３０（入力処理部）と、ミュートスイッチ４０，５０（入力部），６０（入力部）と、送受信切替回路７０と、水没検出回路８０（水没検出部）と、ＣＰＵ（Central Processing Unit）９０（制御回路）とを備えている。
【００２９】
ミュートスイッチ４０は、ＰＴＴスイッチ１７が押し操作されているときに、マイク１２から入力される音声信号を通過させてマイクアンプ２１に入力し、ＰＴＴスイッチ１７が押し操作されていないときに、マイク１２から入力される音声信号のマイクアンプ２１への入力を遮断する。ミュートスイッチ４０は、ＣＰＵ９０から出力される送受信切替信号ＰＴＴＭによって、上記の音声信号の通過および遮断を切り替える。
【００３０】
送信処理部２０は、マイク１２から入力される音声信号を、アンテナ１５から電波として送信するために送信音声信号（出力音声信号）に変換する送信処理を行う。送信処理部２０は、この処理を行うために、マイクアンプ２１と、ミュートスイッチ２２と、ボリューム回路２３と、ＶＣＯ（Voltage Controlled Oscillator）２４と、送信ＲＦ回路２５とを有している。
【００３１】
マイクアンプ２１は、マイク１２からミュートスイッチ４０を介して入力される音声信号またはスピーカ１１からミュートスイッチ５０を介して入力される音声信号を増幅する。マイクアンプ２１は、スピーカ１１からミュートスイッチ５０を介して入力される音声信号を増幅するときに、後述のように、ゲインをマイク１２からの入力による通常の送信時よりも高いゲインに変更する。
【００３２】
ミュートスイッチ２２は、マイクアンプ２１によって増幅された音声信号を、送信時に通過させ、受信時に遮断する。ミュートスイッチ２２は、ＣＰＵ９０から出力されるミュート信号ＭＩＣＭＳによって、上記の音声信号の通過および遮断を切り替える。
【００３３】
ボリューム回路２３は、ミュートスイッチ２２から出力される音声信号のレベルを調整する。ボリューム回路２３は、スピーカ１１が集音する音声信号のレベルを調整するときに、ＣＰＵ９０からの指示によって、感度値を最大に変更する。
【００３４】
ＶＣＯ２４は、ボリューム回路２３から出力される音声信号により変調をかけている。
【００３５】
送信ＲＦ回路２５は、ＶＣＯ２４から出力されるＲＦ信号を増幅して所定の出力とすることにより送信ＲＦ信号に変換する。
【００３６】
送受信切替回路７０は、送信時に、送信ＲＦ回路２５から出力される送信ＲＦ信号をアンテナ１５に入力する一方、受信時に、アンテナ１５から出力される受信ＲＦ信号を受信処理部３０に入力する。送受信切替回路７０による送受信経路の切り替えは、ＣＰＵ９０によって制御される。
【００３７】
受信処理部３０は、アンテナ１５から受信される音声信号（受信音声信号）をスピーカ１１が音声を出力するための音声信号に変換する処理を行う。受信処理部３０は、この処理を行うために、受信ＲＦ回路３１と、ＩＦ処理回路３２と、ミュートスイッチ３３と、ボリューム回路３４と、スピーカアンプ３５と、ＡＦアンプ３６（駆動回路）とを有している。
【００３８】
受信ＲＦ回路３１は、送受信切替回路７０を介してアンテナ１５に受信される受信ＲＦ信号をダウンコンバートすることによりＩＦ信号に変換する。
【００３９】
ＩＦ処理回路３２は、受信ＲＦ回路３１から出力されるＩＦ信号を音声信号に変換する。
【００４０】
ミュートスイッチ３３は、ＩＦ処理回路３２から出力される音声信号を、受信時に通過させ、送信時に遮断する。ミュートスイッチ３３は、ＣＰＵ９０から出力されるミュート信号ＤＥＴＭＳによって、上記の音声信号の通過および遮断を切り替える。
【００４１】
ボリューム回路３４は、ミュートスイッチ３３から出力される音声信号のレベルを調整する。
【００４２】
スピーカアンプ３５は、ボリューム回路３４から出力される音声信号を増幅する。また、スピーカアンプ３５は、ＣＰＵ９０から出力されるビープ音データＢＥＥＰが図示しないＤＡ変換器によって変換されたビープ音信号を増幅して出力する。
【００４３】
ＡＦアンプ３６は、スピーカアンプ３５から出力される音声信号またはビープ音信号に基づいてスピーカ１１を駆動する。ＡＦアンプ３６は、ＳＥ（Single End）モードおよびＢＴＬ（Bridge-Tied Load）モードのいずれかの動作モードで動作する。
【００４４】
ミュートスイッチ５０は、スピーカ１１の正極端子から出力される音声信号を、トランシーバ１の水没が検出されるときにマイクアンプ２１に入力し、トランシーバ１の水没が検出されないときにマイクアンプ２１に入力しない。ミュートスイッチ５０は、ＣＰＵ９０から出力される水没時切替信号ＷＥＴＭＳによって、スピーカ１１が集音する音声信号のマイクアンプ２１への入力および入力阻止を切り替える。
【００４５】
ミュートスイッチ６０は、ＡＦアンプ３６がＢＴＬモードで動作しているとき、トランシーバ１の水没が検出されると、スピーカ１１の負極端子をグランドに接続する。
【００４６】
水没検出回路８０は、トランシーバ１の水没を検出する。水没検出回路８０は、例えば、機器本体２の外部に露出する少なくとも２つの電極が水没した状態で短絡することにより、トランシーバ１の水没を検出する。水没検出回路８０は、トランシーバ１が水没していない状態では、上記の電極が短絡しないので、トランシーバ１の水没を検出しない。
【００４７】
ＣＰＵ９０は、トランシーバ１の各部を制御する。
【００４８】
ＣＰＵ９０は、送受信切替信号ＰＴＴＭおよびミュート信号ＭＩＣＭＳを、ＰＴＴスイッチ１７が押し操作されているときに“Ｈ”（アクティブ）とし、ＰＴＴスイッチ１７が押し操作されていないときに“Ｌ”（非アクティブ）とする。また、ＣＰＵ９０は、ミュート信号ＤＥＴＭＳを、ＰＴＴスイッチ１７が押し操作されているときに“Ｌ”とし、ＰＴＴスイッチ１７が押し操作されていないときに“Ｈ”とする。
【００４９】
ＣＰＵ９０は、スピーカ１１による集音動作を行うように、水没検出回路８０によってトランシーバ１の水没が検出された状態で、ＰＴＴスイッチ１７が押し操作されているときに、水没時切替信号ＷＥＴＭＳを“Ｈ”とする。また、ＣＰＵ９０は、トランシーバ１の水没が検出された状態でも、ＰＴＴスイッチ１７が押し操作されていないとき、またはトランシーバ１の水没が検出されていないときに、送受信切替信号ＰＴＴＭを“Ｌ”とする。
【００５０】
ＣＰＵ９０は、操作部１４における特定のキーが操作されたときに、ビープ音データＢＥＥＰを出力する。
【００５１】
〈トランシーバの主要部の回路構成〉
図３は、トランシーバ１の送受信系の主要部の構成を示す回路図である。
【００５２】
図３に示すように、トランシーバ１は、スイッチＩＣ１００を含んでいる。スイッチＩＣ１００は、４つの第１〜第４のアナログスイッチが組み込まれており、各アナログスイッチが、それぞれミュートスイッチ４０，５０，２３，３３を構成している。
【００５３】
第１のアナログスイッチは、入力端子Ｉ／Ｏ１および出力端子Ｏ／Ｉ１と、制御端子ＣＯＮＴ１とを有している。第２のアナログスイッチは、入力端子Ｉ／Ｏ２および出力端子Ｏ／Ｉ２と、制御端子ＣＯＮＴ２とを有している。第３のアナログスイッチは、入力端子Ｉ／Ｏ３および出力端子Ｏ／Ｉ３と、制御端子ＣＯＮＴ３とを有している。第４のアナログスイッチは、入力端子Ｉ／Ｏ４および出力端子Ｏ／Ｉ４と、制御端子ＣＯＮＴ４とを有している。
【００５４】
入力端子Ｉ／Ｏ１は、マイク１２の出力端子ＯＵＴに接続されている。出力端子Ｏ／Ｉ１は、マイクアンプ２１の第１の入力端子に接続されている。制御端子ＣＯＮＴ１には、送受信切替信号ＰＴＴＭが入力される。
【００５５】
ここで、マイク１２のグランド端子ＧＮＤには、トランジスタＱ１が接続されている。トランジスタＱ１は、送受信切替信号ＰＴＴＭが“Ｈ”であるときにオンして、グランド端子ＧＮＤをグランドに接続する。また、トランジスタＱ１は、送受信切替信号ＰＴＴＭが“Ｌ”であるときにオフして、グランド端子ＧＮＤをハイインピーダンス状態にする。これにより、マイク１２は受信時に使用不能となる。
【００５６】
入力端子Ｉ／Ｏ２は、スピーカ１１の正極端子に接続されている。出力端子Ｏ／Ｉ２は、マイクアンプ２１の第２の入力端子に接続されている。制御端子ＣＯＮＴ２には、水没時切替信号ＷＥＴＭＳが入力される。
【００５７】
入力端子Ｉ／Ｏ３は、マイクアンプ２１の出力端子に接続されている。出力端子Ｏ／Ｉ３は、ボリューム回路２３の入力端子に接続されている。制御端子ＣＯＮＴ３には、ミュート信号ＭＩＣＭＳが入力される。
【００５８】
入力端子Ｉ／Ｏ４は、ＩＦ処理回路３２の出力端子に接続されている。出力端子Ｏ／Ｉ４は、ボリューム回路３４の入力端子に接続されている。制御端子ＣＯＮＴ４には、ミュート信号ＤＥＴＭＳが入力される。
【００５９】
マイクアンプ２１は、オペアンプＯＡ１を含んでいる。マイクアンプ２１の第１の入力端子は、直列に接続されたコンデンサＣ１および抵抗Ｒ１を介してオペアンプＯＡ１の反転入力端子に接続されている。マイクアンプ２１の第２の入力端子は、直列に接続されたコンデンサＣ２および抵抗Ｒ２を介してオペアンプＯＡ１の反転入力端子に接続されている。オペアンプＯＡ２の非反転入力端子は、コンデンサＣ３を介してグランドに接続されている。オペアンプＯＡ１の出力端子は、マイクアンプ２１の出力端子となっている。抵抗Ｒ１，Ｒ２の定数は異なっている。これにより、マイクアンプ２１のゲインは、マイク１２が発生した音声信号を増幅するときと、スピーカ１１が集音した音声信号を増幅するときとで切り替えられる。
【００６０】
スピーカアンプ３５は、オペアンプＯＡ２を含んでいる。オペアンプＯＡ２の非反転入力端子には、ビープ音データＢＥＥＰが図示しないＤＡ変換器を介してビープ音信号として入力される。オペアンプＯＡ２の反転入力端子には、ボリューム回路３４の出力端子が接続されている。オペアンプＯＡ２の出力端子は、直列に接続されたコンデンサＣ４および抵抗Ｒ３を介して、ＡＦアンプ３６の入力端子ＩＮに接続されている。スピーカアンプ３５は、ビープ音信号が入力されるときには、ビープ音信号を増幅し、ボリューム回路３４からの音声信号が入力されるときには、音声信号を増幅する。
【００６１】
ＡＦアンプ３６は、ＩＣによって構成されている。ＡＦアンプ３６の負極出力端子ＶＯ−には、スピーカ１１の負極端子が接続され、ＡＦアンプ３６の正極出力端子ＶＯ＋には、スピーカ１１の正極端子が接続されている。
【００６２】
ＡＦアンプ３６は、シャットダウン機能を動作させるための、シャットダウン端子ＳＤを有している。ＡＦアンプ３６は、シャットダウン端子ＳＤに論理レベルが“Ｌ”の電圧が印加されると、シャットダウン機能を有効にし、シャットダウン端子ＳＤに論理レベルが“Ｈ”の電圧が印加されると、シャットダウン機能を無効にする。シャットダウン機能は、ＡＦアンプ３６のバイアス回路をオフして、消費電力を低減させる。
【００６３】
シャットダウン端子ＳＤには、ＣＰＵ９０から供給される電源制御信号ＡＦＶＳが入力される。トランシーバ１を通常モードで動作させるときに、電源制御信号ＡＦＶＳが“Ｈ”となり、トランシーバ１を省電力モードで動作させるときに、電源制御信号ＡＦＶＳが“Ｌ”となる。
【００６４】
ＡＦアンプ３６は、ＳＥ（Single-Ended）モードおよびＢＴＬ（Bridged-Tied Load）モードで動作する。ＳＥモードは、スピーカ１１の一方の端子（例えば負極端子）をグランドに接続してシングルエンドアンプとして機能する動作モードである。ＢＴＬモードは、スピーカ１１を差動駆動することによって、出力電力を増大させるブリッジアンプとして機能させる動作モードである。
【００６５】
ＡＦアンプ３６は、ＳＥモードとＢＴＬモードとを切り替えるためのモード切替端子ＳＥ／ＢＴＬを有している。モード切替端子ＳＥ／ＢＴＬには、ＣＰＵ９０から供給されるモード切替信号ＳＰＣＴＲＬが入力される。ＡＦアンプ３６をＳＥモードで動作させるときに、モード切替信号ＳＰＣＴＲＬが“Ｈ”となり、ＡＦアンプ３６をＢＴＬモードで動作させるときに、モード切替信号ＳＰＣＴＲＬが“Ｌ”となる。
【００６６】
ミュートスイッチ６０は、トランジスタＱ２によって構成されている。トランジスタＱ２は、水没時切替信号ＷＥＴＭＳが“Ｈ”となるときオンして、スピーカ１１の負極端子をグランドに接続する一方、水没時切替信号ＷＥＴＭＳが“Ｌ”となるときオフして、スピーカ１１の負極端子とグランドとの間を遮断する。スピーカ１１が集音動作を行うことにより音声信号を発生するようにマイクとして機能するには、スピーカ１１の負極端子をグランドに接続する必要がある。
【００６７】
〈トランシーバの動作〉
トランシーバ１が水没していない状態では、ＰＴＴスイッチ１７が押し操作されると、送受信切替信号ＰＴＴＭおよびミュート信号ＭＩＣＭＳが“Ｈ”となり、ミュート信号ＤＥＴＭＳが“Ｌ”となる。すると、ミュートスイッチ４０およびミュートスイッチ２２がオンし、ミュートスイッチ３３がオフする。これにより、マイク１２から出力される音声信号は、ミュートスイッチ４０を経て送信処理部２０で送信ＲＦ信号に変換されて、さらに送受信切替回路７０を経てアンテナ１５から送信される。
【００６８】
また、水没検出回路８０がトランシーバ１の水没を検出しないので、水没時切替信号ＷＥＴＭＳが“Ｌ”となる。これにより、ミュートスイッチ５０，６０はオフする。ミュートスイッチ６０がオフした状態では、スピーカ１１は、負極端子がグランドに接続されないので、集音動作をしない。
【００６９】
トランシーバ１が水没した後に水没から脱した状態では、スピーカグリル１８内に水が浸入している。この状態では、操作部１４における特定のキーが操作されることにより、ＣＰＵ９０で発生したビープ音データＢＥＥＰによるビープ音信号がスピーカアンプ３５に入力される。スピーカアンプ３５がビープ音信号を増幅すると、スピーカ１１は、ＡＦアンプ３６を経て入力されるビープ音信号によって大きく振動して、スピーカグリル１８内に溜まった水を排出する。これにより、スピーカ１１は機能を回復する。
【００７０】
また、トランシーバ１が水没した状態では、水没検出回路８０がトランシーバ１の水没を検出するので、水没時切替信号ＷＥＴＭＳが“Ｈ”となる。これにより、ミュートスイッチ５０は、オンすることで、スピーカ１１が集音した音声信号をマイクアンプ２１に入力する。また、ミュートスイッチ６０は、オンすることで、スピーカ１１の負極端子をグランドに接続する。また、水没検出回路８０は、トランシーバ１が水没した後に水没から脱した後の所定期間にも、水没の検出を維持する。
【００７１】
トランシーバ１の水没が検出された状態またはトランシーバ１が水没を脱した後の所定期間においてＰＴＴスイッチ１７が押し操作されると、ミュートスイッチ２２がオンする。これにより、マイクアンプ２１から出力される音声信号は、送信処理部２０で送信ＲＦ信号に変換さて、送受信切替回路７０を経てアンテナ１５から送信される。これにより、マイク１２を用いた送信の操作と同じ操作でスピーカ１１を用いた送信を行うことができる。
【００７２】
また、マイクアンプ２１は、ＣＰＵ９０の指示によってゲインを高くし、ボリューム回路２３は、ＣＰＵ９０の指示によって感度値を最大にする。スピーカ１１の集音による音声信号をそのまま変調すると、変調感度が低いため、マイクアンプ２１のゲインやボリューム回路２３の感度値を高くすることで、変調感度を高めている。
【００７３】
〈トランシーバによる効果〉
トランシーバ１は、トランシーバ１が水没したことを検出した後にＰＴＴスイッチ１７が押し操作されると、スピーカ１１が集音した音声信号を送信処理部２０のマイクアンプ２１に入力するミュートスイッチ５０，６０を備えている。
【００７４】
これにより、トランシーバ１の水没による水濡れのためにマイク１２が使用できない状態でも、通常の送信時と同じくＰＴＴスイッチ１７を押し操作することにより、マイク１２によって集音された音声と同じく、スピーカ１１によって集音された音声を変調して送信することができる。したがって、特別な操作やテストを必要とすることなく、スピーカ１１をマイク１２として使用することができる。
【００７５】
なお、トランシーバ１の水没が一旦検出されると、スピーカ１１による集音機能を持続するために、水没時切替信号ＷＥＴＭＳの“Ｈ”が維持される。したがって、マイク１２が十分乾いて、その機能が回復したと考えられる状態で、マイク１２による集音を行わせるには、水没時切替信号ＷＥＴＭＳを“Ｌ”にする必要がある。このために、電源・音量ツマミ１６を操作して、トランシーバ１の電源をオフした後にオンするか、あるいは、ＰＴＴスイッチ１７を押しながら、操作部１４における特定のキーを操作する。ＣＰＵ９０は、スピーカ１１による集音動作が行われている状態で上記の操作が行われると、水没時切替信号ＷＥＴＭＳを“Ｌ”に変化させる。また、水没検出回路８０は、上述した水没検出のための電極が水を介して導通していない状態を検出した後、所定時間経過すると、水没時切替信号ＷＥＴＭＳを“Ｌ”に切り替えてもよい。これらのように水没時切替信号ＷＥＴＭＳを“Ｌ”にすることで、マイクアンプ２１のゲインおよびボリューム回路２３の感度値が、スピーカ１１による集音時の値からマイク１２による集音時の値に切り替わる。
【００７６】
また、ＣＰＵ９０は、操作部１４における特定のキーを複数組み合わせて操作することによって、擬似的にトランシーバ１の水没を認識して、水没時切替信号ＷＥＴＭＳを“Ｈ”に変化させるようにしてもよい。これにより、上記のようにして、スピーカ１１による集音からマイク１２による集音に切り替えても、マイク１２の乾燥が不十分であるためにマイク１２による集音ができなかった場合、スピーカ１１による集音へ手動で切り替えることができる。
【００７７】
〔ソフトウェアによる実現例〕
トランシーバ１の脱水没時におけるスピーカ１１による集音の制御機能を、集積回路（ＩＣチップ）などに形成された論理回路（ハードウェア）によって実現してもよい。あるいは、これらの機能をソフトウェアによって実現してもよい。
【００７８】
後者の場合、トランシーバ１は、上記機能を実現するソフトウェアであるプログラムの命令を実行するコンピュータを備えている。このコンピュータは、例えば１つ以上のプロセッサとしてＣＰＵ９０を備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。
【００７９】
上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。
【００８０】
また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８２】
本実施形態では、例えば、無線通信機としてのトランシーバ１について説明した。本発明は、トランシーバ１に限らず、スピーカおよびマイクを備えた無線通信機に適用が可能である。
【符号の説明】
【００８３】
１  トランシーバ（無線通信機）
１１  スピーカ
１２  マイク
１７  ＰＴＴスイッチ（操作スイッチ）
１８  スピーカグリル
２０  送信処理部
２１  マイクアンプ
３０  受信処理部
３５  スピーカアンプ
５０，６０  ミュートスイッチ（入力部）
８０  水没検出回路（水没検出部）
９０  ＣＰＵ（制御回路）
【図１】
2020123821.tif 000003
【図２】
2020123821.tif 000004
【図３】
2020123821.tif 000005